(57)【要約】【課題】展開図に配置される画像と、その画像が配置される展開図内における位置と、を独立して管理することができる情報処理装置及びプログラムを提供する。【解決手段】画像取得部２２は、展開図を構成する面に配置される対象となる画像を取得する。位置情報取得部２４は、画像取得部２２が取得する画像に対応付けられた、展開図内における位置を示す位置情報を取得する。展開図情報出力部２８は、画像取得部２２が取得する画像が、位置情報取得部２４が取得する位置情報が示す展開図内における位置に配置された展開図を示す展開図情報を出力する。【選択図】図２
2012043276.tif 000002
【特許請求の範囲】
【請求項１】
展開図を構成する面に配置される対象となる画像を取得する画像取得手段と、
前記画像に対応付けられた、前記展開図内における位置を示す位置情報を取得する位置情報取得手段と、
前記画像取得手段が取得する画像が、前記位置情報取得手段が取得する位置情報が示す展開図内における位置に配置された展開図を示す展開図情報を出力する展開図情報出力手段と、
を含むことを特徴とする情報処理装置。
【請求項２】
前記位置情報が、前記展開図を構成する少なくとも１つの面を示しており、
前記展開図情報出力手段が、前記画像取得手段が取得する画像が、前記位置情報取得手段が取得する位置情報が示す面に配置された展開図を示す展開図情報を出力する、
ことを特徴とする請求項１に記載の情報処理装置。
【請求項３】
前記展開図を構成する各面が優先度を示す情報に関連付けられており、
前記展開図情報出力手段が、面の境界領域に配置される対象となる画像が複数存在する際に当該複数の画像のうち配置される面の優先度に応じた画像が当該境界領域に配置された展開図を示す展開図情報を出力する、
ことを特徴とする請求項２に記載の情報処理装置。
【請求項４】
前記位置情報取得手段が、前記画像取得手段が取得する画像に対応付けられた、複数の位置を示す位置情報を取得し、
前記展開図情報出力手段が、前記位置情報取得手段が取得する位置情報が示す複数の位置のそれぞれに前記画像取得手段が取得する画像が配置された展開図を示す展開図情報を出力する、
ことを特徴とする請求項１から３のいずれか一項に記載の情報処理装置。
【請求項５】
受け付ける要求に応じて展開図を構成する面に配置される対象となる画像を変更する画像変更手段、をさらに含み、
前記展開図情報出力手段が、前記画像変更手段により画像が変更された際に、当該変更後の画像が、前記位置情報取得手段が取得した位置情報が示す展開図内における位置に配置された展開図を示す展開図情報を出力する、
ことを特徴とする請求項１から４のいずれか一項に記載の情報処理装置。
【請求項６】
展開図を構成する面に配置される対象となる画像が、複数の部分画像を含んでおり、
前記画像変更手段が、受け付ける要求に応じて、前記部分画像、前記部分画像の位置、及び、前記部分画像の向き、の少なくとも一つを変更する、
ことを特徴とする請求項５に記載の情報処理装置。
【請求項７】
受け付ける要求に応じて、前記位置情報が示す位置を変更する位置変更手段、をさらに含み、
前記展開図情報出力手段が、前記位置変更手段により前記位置情報が示す位置が変更された際に、当該変更後の位置に前記画像取得手段が取得する画像が配置された展開図を示す展開図情報を出力する、
ことを特徴とする請求項１から６のいずれか一項に記載の情報処理装置。
【請求項８】
展開図を構成する面に配置される対象となる画像を取得する画像取得手段、
前記画像に対応付けられた、前記展開図内における位置を示す位置情報を取得する位置情報取得手段、
前記画像取得手段が取得する画像が、前記位置情報取得手段が取得する位置情報が示す展開図内における位置に配置された展開図を示す展開図情報を出力する展開図情報出力手段、
としてコンピュータを機能させることを特徴とするプログラム。
【発明の詳細な説明】
【技術分野】
【０００１】
本発明は、情報処理装置及びプログラムに関する。
【背景技術】
【０００２】
展開図の作成を支援する技術が存在する。特許文献１には、紙器において固着に用いられる副板の、当該副板に隣接する主板から連続する一部領域にも、絵柄画像が配置されるようにすることで、紙器の完成状態では連続する画像が、レイアウト工程の段階では不連続な状態で配置される場合でも、下地部分の露出が抑制されるような紙器の印刷用画像データの生成を容易に行うことができる装置が開示されている。特許文献２には、展開図と３次元データとを対応付けて、ユーザが３次元上の面に画像を貼り付けていくことで、展開図に画像を貼り付けることができる３次元パッケージデザインシステムが開示されている。
【先行技術文献】
【特許文献】
【０００３】
【特許文献１】特開２００８−３１０７４５号公報
【特許文献２】特開２０００−３４８０７０号公報
【発明の概要】
【発明が解決しようとする課題】
【０００４】
本発明は、展開図に配置される画像と、その画像が配置される展開図内における位置と、を独立して管理することができる情報処理装置及びプログラムを提供することを目的とする。
【課題を解決するための手段】
【０００５】
請求項１に記載の発明は、情報処理装置であって、展開図を構成する面に配置される対象となる画像を取得する画像取得手段と、前記画像に対応付けられた、前記展開図内における位置を示す位置情報を取得する位置情報取得手段と、前記画像取得手段が取得する画像が、前記位置情報取得手段が取得する位置情報が示す展開図内における位置に配置された展開図を示す展開図情報を出力する展開図情報出力手段と、を含むこととしたものである。
【０００６】
請求項２に記載の発明は、請求項１に記載の情報処理装置であって、前記位置情報が、前記展開図を構成する少なくとも１つの面を示しており、前記展開図情報出力手段が、前記画像取得手段が取得する画像が、前記位置情報取得手段が取得する位置情報が示す面に配置された展開図を示す展開図情報を出力することとしたものである。
【０００７】
請求項３に記載の発明は、請求項２に記載の情報処理装置であって、前記展開図を構成する各面が優先度を示す情報に関連付けられており、前記展開図情報出力手段が、面の境界領域に配置される対象となる画像が複数存在する際に当該複数の画像のうち配置される面の優先度に応じた画像が当該境界領域に配置された展開図を示す展開図情報を出力することとしたものである。
【０００８】
請求項４に記載の発明は、請求項１から３のいずれか一項に記載の情報処理装置であって、前記位置情報取得手段が、前記画像取得手段が取得する画像に対応付けられた、複数の位置を示す位置情報を取得し、前記展開図情報出力手段が、前記位置情報取得手段が取得する位置情報が示す複数の位置のそれぞれに前記画像取得手段が取得する画像が配置された展開図を示す展開図情報を出力することとしたものである。
【０００９】
請求項５に記載の発明は、請求項１から４のいずれか一項に記載の情報処理装置であって、受け付ける要求に応じて展開図を構成する面に配置される対象となる画像を変更する画像変更手段、をさらに含み、前記展開図情報出力手段が、前記画像変更手段により画像が変更された際に、当該変更後の画像が、前記位置情報取得手段が取得した位置情報が示す展開図内における位置に配置された展開図を示す展開図情報を出力することとしたものである。
【００１０】
請求項６に記載の発明は、請求項５に記載の情報処理装置であって、展開図を構成する面に配置される対象となる画像が、複数の部分画像を含んでおり、前記画像変更手段が、受け付ける要求に応じて、前記部分画像、前記部分画像の位置、及び、前記部分画像の向き、の少なくとも一つを変更することとしたものである。
【００１１】
請求項７に記載の発明は、請求項１から６のいずれか一項に記載の情報処理装置であって、受け付ける要求に応じて、前記位置情報が示す位置を変更する位置変更手段、をさらに含み、前記展開図情報出力手段が、前記位置変更手段により前記位置情報が示す位置が変更された際に、当該変更後の位置に前記画像取得手段が取得する画像が配置された展開図を示す展開図情報を出力することとしたものである。
【００１２】
請求項８に記載の発明は、プログラムであって、展開図を構成する面に配置される対象となる画像を取得する画像取得手段、前記画像に対応付けられた、前記展開図内における位置を示す位置情報を取得する位置情報取得手段、前記画像取得手段が取得する画像が、前記位置情報取得手段が取得する位置情報が示す展開図内における位置に配置された展開図を示す展開図情報を出力する展開図情報出力手段、としてコンピュータを機能させることとしたものである。
【発明の効果】
【００１３】
請求項１，８に記載の発明によれば、展開図に配置される画像と、その画像が配置される展開図内における位置と、を独立して管理することができる。
【００１４】
請求項２に記載の発明によれば、展開図に配置される画像と、その画像が配置される展開図内における面と、を独立して管理することができる。
【００１５】
請求項３に記載の発明によれば、面の境界領域に配置される画像が複数存在する場合でも、優先度によって配置される画像が特定される。
【００１６】
請求項４に記載の発明によれば、本構成を有しない場合と比較して、展開図内における複数の位置に配置される画像を管理しやすくなる。
【００１７】
請求項５に記載の発明によれば、配置される画像を、その画像が配置される位置とは独立に、変更することができる。
【００１８】
請求項６に記載の発明によれば、展開図を構成する面に配置される対象となる画像が配置される位置とは独立に、その画像に含まれる複数の部分画像について、その部分画像、その部分画像の位置、その部分画像の向き、の少なくとも１つを、変更することができる。
【００１９】
請求項７に記載の発明によれば、配置される画像とは独立に、その画像が配置される位置を変更することができる。
【図面の簡単な説明】
【００２０】
【図１】本発明の一実施形態に係る情報処理装置のハードウェア構成の一例を示す図である。
【図２】本発明の一実施形態に係る情報処理装置により実現される機能の一例を示す機能ブロック図である。
【図３】展開図情報の一例を示す図である。
【図４】配置画像の一例を示す図である。
【図５】配置規則情報の一例を示す図である。
【図６】配置済展開図情報の一例を示す図である。
【図７】配置済展開図情報の別の一例を示す図である。
【図８】配置済展開図情報のさらに別の一例を示す図である。
【図９】配置済展開図情報のさらに別の一例を示す図である。
【図１０】配置画像が配置領域に配置される様子の一例を模式的に示す図である。
【発明を実施するための形態】
【００２１】
以下、本発明の一実施形態について図面に基づき詳細に説明する。
【００２２】
図１は、本実施形態に係る情報処理装置１０のハードウェア構成の一例を示す図である。図１に例示するように、本実施形態に係る情報処理装置１０は、例えば、制御部１２、記憶部１４、ユーザインタフェース（ＵＩ）部１６、を含んでいる。これらの要素は、例えば、バスを介して接続される。
【００２３】
制御部１２は、ＣＰＵなどのプログラム制御デバイスであり、情報処理装置１０にインストールされるプログラムに従って動作する。記憶部１４は、ＲＯＭやＲＡＭなどの記憶素子やハードディスクドライブなどである。記憶部１４には、制御部１２によって実行されるプログラムなどが記憶される。また、記憶部１４は、制御部１２のワークメモリとしても動作する。ＵＩ部１６は、タッチパネルや、液晶ディスプレイ及び入力用デバイス（キーボード、マウス等）等によって構成される。ＵＩ部１６は、制御部１２から入力される指示に従って、制御部１２から入力されるデータに基づく画面（例えば、ユーザに指示の入力を促すメニュー画面）を表示する。また、ＵＩ部１６は、ユーザからの指示の入力を受け入れて、その入力内容を制御部１２に出力する。
【００２４】
図２は、本実施形態に係る情報処理装置１０により実現される機能の一例を示す機能ブロック図である。図２に例示するように、情報処理装置１０は、本実施形態では、例えば、情報記憶部２０、画像取得部２２、位置情報取得部２４、画像配置部２６、展開図情報出力部２８、を含んでいる。情報記憶部２０は、記憶部１４を主として実現される。その他の要素は、制御部１２を主として実現される。
【００２５】
これらの要素は、コンピュータである情報処理装置１０にインストールされたプログラムを、情報処理装置１０の制御部１２で実行することにより実現されている。このプログラムは、例えば、ＣＤ−ＲＯＭ、ＤＶＤ−ＲＯＭなどのコンピュータ可読な情報記憶媒体を介して、あるいは、インターネットなどの通信手段を介して情報処理装置１０に供給される。
【００２６】
情報記憶部２０には、本実施形態では、例えば、予め、図３に例示する展開図情報３０、図４に例示する配置画像３２、図５に例示する配置規則情報３４、が記憶されている。
【００２７】
図３に例示する展開図情報３０は、例えば、展開図を表す情報である。本実施形態では、展開図情報３０が表す展開図には、展開図を構成する面が占める領域である面領域と、展開図を構成する辺に相当する領域である辺領域と、が含まれている。辺領域は、例えば、展開図情報３０が表す展開図の画像が表面上に形成された用紙や包装体を折り曲げて立体を組み立てた際に、その立体の辺（稜線）に相当する領域である。本実施形態では、例えば、辺領域の幅が、上述の立体の辺（稜線）の幅に対応している。
【００２８】
図４に例示する配置画像３２は、例えば、展開図情報３０が表す展開図に配置される画像である。そして、本実施形態では、例えば、配置画像３２は、複数の部分画像３６を含んでいる。
【００２９】
展開図情報３０が表す展開図には、展開図情報３０が表す展開図内において配置画像３２が配置される領域である配置領域３８が少なくとも１つ設定されている。図３に例示する展開図情報３０には、２つの配置領域３８が設定されている。本実施形態では、配置領域３８は、展開図情報３０が表す展開図に含まれる面領域に対応しており、面領域よりも予め定められた大きさだけ大きな領域となっている。
【００３０】
図５に例示する配置規則情報３４は、例えば、展開図情報３０が表す展開図内において配置画像３２が配置される位置や向きなどの配置規則を示す情報であり、配置規則情報３４の識別子である配置規則情報識別子、配置画像３２の識別子である配置画像識別子、配置画像３２における位置合わせの基準となる基準点の位置を示す画像内基準点位置情報、展開図情報３０が表す展開図に含まれる面のうちの、配置領域３８に対応する面の識別子である配置領域面識別子、配置領域３８における位置合わせの基準となる基準点の位置を示す領域内基準点位置情報、配置画像３２を配置領域３８に配置する向きを示す配置向き情報、配置領域３８に配置画像３２を配置する際に配置画像３２に対して実行するマスク処理を実行するか否かを示すマスクフラグ情報（とり得る値は、例えば、「Ｙ」、または、「Ｎ」である。）を含んでいる。なお、図５に例示するように、配置画像識別子の値が同じであり、配置領域面識別子の値が異なる配置規則情報３４が複数存在してもよい。
【００３１】
画像取得部２２は、本実施形態では、例えば、情報記憶部２０に記憶されている配置画像３２を取得する。位置情報取得部２４は、本実施形態では、例えば、情報記憶部２０に記憶されている配置規則情報３４を取得する。
【００３２】
画像配置部２６は、本実施形態では、例えば、配置画像３２を、配置規則情報３４が示す配置規則に従って、配置領域３８内に配置する。
【００３３】
画像配置部２６は、具体的には、例えば、配置規則情報３４に含まれる配置画像識別子に対応する配置画像３２を、配置規則情報３４に含まれる配置領域面識別子に対応する面に対応する配置領域３８に配置する。このとき、画像配置部２６は、配置規則情報３４に含まれる画像内基準点位置情報が示す配置画像３２内の位置（例えば、配置画像３２の上辺中点、中心、上辺左端など）と、配置規則情報３４に含まれる領域内基準点位置情報に対応する位置（例えば、配置領域３８の上辺中点、中心、上辺左端など）とが重なるよう配置画像３２を配置する。
【００３４】
そして、画像配置部２６は、具体的には、例えば、配置規則情報３４に含まれる配置向き情報が示す回転角度だけ、配置画像３２が配置された配置領域３８内の基準点を中心として、配置領域３８に配置された配置画像３２を時計回りに回転させる。
【００３５】
そして、画像配置部２６は、配置規則情報３４に含まれるマスクフラグ情報の値に基づいて、配置領域３８に配置された配置画像３２のマスク処理を実行する。画像配置部２６は、例えば、マスク処理規則情報の値が「Ｙ」である場合に、配置領域３８よりもはみ出ている画像を消去する。
【００３６】
展開図情報出力部２８は、本実施形態では、例えば、配置領域３８に配置画像３２が配置された展開図を表す、配置済展開図情報４０（図６参照）を情報記憶部２０に出力する。図６は、図３に例示する展開図情報３０が表す展開図内の配置領域３８に、配置画像３２が配置された展開図を表す、配置済展開図情報４０の一例を示す図である。
【００３７】
図６の例では、１つの配置画像３２に対応する配置領域３８が、展開図情報３０が表す展開図内に２つ設定されており、それぞれの配置領域３８に、配置画像３２が配置されている。
【００３８】
図７に配置済展開図情報４０の別の一例を示す。図７の例では、１つの配置画像３２に対応する、１つの展開図情報３０が表す展開図内における配置領域３８が３つ設定されている。なお、図７の例では、図４に例示する配置画像３２とは異なる配置画像３２が配置領域３８に配置されている。そして、上側の配置領域３８と右下側の配置領域３８には、配置画像３２が回転されずに配置されており、左下側の配置領域３８には、配置画像３２が１８０度回転されて配置されている。また、右下側の配置領域３８では、マスク処理により配置領域３８に配置されている配置画像３２の一部が消去されている。
【００３９】
図８に配置済展開図情報４０のさらに別の一例を示す。図８の例では、２つの配置画像３２のそれぞれが、対応する配置領域３８に配置されている。図８の例では、左側の配置領域３８には図４に例示する配置画像３２と同様の、帯型の部分画像３６と顔型の部分画像３６とが含まれる配置画像３２が配置されており、右側の配置領域３８には図４に例示する配置画像３２にさらに星型の部分画像３６が含まれる配置画像３２が配置されている。
【００４０】
図９に配置済展開図情報４０のさらに別の一例を示す。図９の例では、１つの配置画像３２に対応する、１つの展開図情報３０が表す展開図内における配置領域３８が２つ設定されており、それぞれの配置領域３８に、図４や図７や図８に例示する配置画像３２とは異なる配置画像３２が配置されている。そして、どちらの配置領域３８についても、配置領域３８の大きさが配置画像３２の大きさよりも小さく、マスク処理により配置領域３８に配置されている配置画像３２の一部が消去されている。図９に例示する配置済展開図情報４０では、配置済展開図情報４０が表す展開図の画像が表面上に形成された用紙や包装体を折り曲げて立体を組み立てた際に、上面と側面それぞれに配置されている配置画像３２がつながって、マスク処理により一部が消去される前の配置画像３２が現れることとなる。
【００４１】
ここで、図１０を参照しながら、配置画像３２が配置領域３８に配置される様子の一例を説明する。図１０は、配置画像３２が配置領域３８に配置される様子の一例を模式的に示す図である。図１０には、配置画像３２と、それぞれ異なる配置規則情報３４に従って配置画像３２が配置された３つの配置領域３８（第１配置領域３８−１、第２配置領域３８−２、及び、第３配置領域３８−３）と、が例示されている。なお、第１配置領域３８−１上と第２配置領域３８−２上の「×」印は、画像内基準点を表し、説明のために表示しているものであり、実際の画像に含まれるものではない。
【００４２】
第１配置領域３８−１に配置されている配置画像３２は、例えば、図５に例示する、配置規則情報識別子の値が「ａ−０１」である配置規則情報３４が示す規則に従って配置されている。図１０の例では、画像内基準点位置情報の値「上辺中点」と領域内基準点位置情報の値「上辺中点」とに基づいて、配置画像３２の上辺中点と配置領域３８の上辺中点とが重なるよう配置画像３２が第１配置領域３８−１に配置されている。
【００４３】
第２配置領域３８−２に配置されている配置画像３２は、例えば、図５に例示する、配置規則情報識別子の値が「ｂ−０４」である配置規則情報３４が示す規則に従って配置されている。図１０の例では、画像内基準点位置情報の値「中心」と領域内基準点位置情報の値「中心」とに基づいて、配置画像３２の中心と配置領域３８の中心とが重なるよう配置画像３２が第２配置領域３８−２に配置されている。また、配置向き情報の値が１８０度であることに基づいて、配置領域３８の中心を軸に配置画像３２が時計回りに１８０度回転されている。
【００４４】
第３配置領域３８−３に配置されている配置画像３２は、例えば、図５に例示する、配置規則情報識別子の値が「ｃ−１０」である配置規則情報３４が示す規則に従って配置されている。図１０の例では、画像内基準点位置情報の値「上辺左端」と領域内基準点位置情報の値「上辺左端」とに基づいて、配置画像３２の上辺左端と配置領域３８の上辺左端とが重なるよう配置画像３２が第２配置領域３８−２に配置されている。また、マスクフラグ情報の値が「Ｙ」であることに基づいて、配置領域３８をはみ出す画像が消去されている。
【００４５】
なお、本発明は上述の実施形態に限定されるものではない。
【００４６】
例えば、配置領域３８は、矩形でなくともよく、また、面領域と同型同大の領域であっても構わない。そして、例えば、配置規則情報３４が、配置規則情報３４の優先度を示す優先度情報（例えば、０から１０までのいずれかの整数値をとる。）や、閾値情報（例えば、「０ｍｍ」、「１ｍｍ」、「−１ｍｍ」などの長さの値をとる。）を含んでいてもよい。
【００４７】
この場合、画像配置部２６は、例えば、マスクフラグ情報の値が「Ｙ」である場合に、配置領域３８を閾値情報が示す長さだけ拡大した領域（あるいは、縮小した領域）よりもはみ出ている画像を消去するマスク処理を実行する。画像配置部２６は、例えば、閾値情報の値が０ｍｍである場合は、配置領域３８よりもはみ出ている画像を消去する。また、画像配置部２６は、例えば、閾値情報の値が１ｍｍである場合は、配置領域３８を四方向それぞれに１ｍｍだけ拡大した領域よりもはみ出ている画像を消去する。また、画像配置部２６は、例えば、閾値情報の値が−１ｍｍである場合は、配置領域３８を四方向それぞれに１ｍｍだけ縮小した領域よりもはみ出ている画像を消去する。
【００４８】
なお、閾値情報の値が、例えば、辺領域の幅に対応する長さに対応するように設定されていてもよい。この場合は、上述のマスク処理により、面領域とその面領域に隣接する辺領域とを含む領域に配置画像３２が配置されることとなる。
【００４９】
また、マスク処理が終了した際に、例えば、二面の境界領域である辺領域に配置される対象となる画像が複数存在することがありうる。この場合、画像配置部２６が、優先度情報の値（本実施形態では、例えば、０から１０までのいずれかの整数値をとる。）が大きな面に配置される画像を辺領域に配置するようにしてもよい。
【００５０】
また、例えば、情報処理装置１０が、利用者から受け付ける要求に応じて配置画像３２を変更するようにしてもよい。そして、展開図情報出力部２８が、配置画像３２が変更された際に、変更後の配置画像３２が配置領域３８に配置された展開図を表す配置済展開図情報４０を出力するようにしてもよい。
【００５１】
また、例えば、配置画像３２が複数の部分画像３６を含んでいる場合に、情報処理装置１０が、利用者から受け付ける要求に応じて、部分画像３６の内容、部分画像３６の配置画像３２内における位置や向き、部分画像３６間の位置関係、などを変更するようにしてもよい。そして、展開図情報出力部２８が、部分画像３６の内容や位置や向きが変更された際に、変更後の部分画像３６を含む配置画像３２が配置領域３８に配置された展開図を表す配置済展開図情報４０を出力するようにしてもよい。例えば、図８の例において、利用者から帯型の部分画像３６の位置を左にずらす要求を受け付けた際に、展開図情報出力部２８が、その要求に応じて、２つの配置領域３８それぞれに配置されている帯型の部分画像３６の位置が左にずれるよう配置済展開図情報４０を更新するようにしてもよい。また、例えば、図８の例において、利用者から星型の部分画像３６の位置を右にずらす要求を受け付けた際に、展開図情報出力部２８が、その要求に応じて、右側の配置領域３８に配置されている帯型の部分画像３６の位置が右にずれるよう配置済展開図情報４０を更新するようにしてもよい。また、例えば、展開図情報出力部２８が、部分画像３６の削除要求に応じて、配置済展開図情報４０において、その部分画像３６が含まれる配置画像３２が配置されているすべての配置領域３８において部分画像３６を削除するようにしてもよい。
【００５２】
また、例えば、情報処理装置１０が、利用者から受け付ける要求に応じて配置規則情報３４を変更するようにしてもよい。そして、展開図情報出力部２８が、変更後の配置規則情報３４が示す規則に従って、配置画像３２が配置される位置や向き、マスク処理の有無、などを変更するようにしてもよい。
【００５３】
また、例えば、配置規則情報３４に含まれる画像内基準点位置情報が配置画像３２内における相対座標や絶対座標を示していてもよい。また、配置規則情報３４に含まれる領域内基準点位置情報が配置領域３８内における相対座標や絶対座標を示していてもよい。
【００５４】
また、例えば、画像配置部２６は、配置画像３２の複製を生成して、生成された複製を配置領域３８に配置するようにしてもよい。また、画像配置部２６は、配置画像３２に対して拡大や縮小などの変換処理を実行した上で、配置領域３８に配置するようにしてもよい。
【００５５】
なお、上述の具体的な数値や文字列は例示であり、これらの数値や文字列には限定されない。
【符号の説明】
【００５６】
１０  情報処理装置、１２  制御部、１４  記憶部、１６  ユーザインタフェース（ＵＩ）部、２０  情報記憶部、２２  画像取得部、２４  位置情報取得部、２６  画像配置部、２８  展開図情報出力部、３０  展開図情報、３２  配置画像、３４  配置規則情報、３６  部分画像、３８  配置領域、４０  配置済展開図情報。
【図１】
2012043276.tif 000003
【図２】
2012043276.tif 000004
【図３】
2012043276.tif 000005
【図４】
2012043276.tif 000006
【図５】
2012043276.tif 000007
【図６】
2012043276.tif 000008
【図７】
2012043276.tif 000009
【図８】
2012043276.tif 000010
【図９】
2012043276.tif 000011
【図１０】
2012043276.tif 000012